(57)【要約】【課題】施工性及び経済性に優れるとともに耐久性にも優れた手摺の取付方法及びその取付構造を提供することを課題とする。【解決手段】建物の躯体表面に穿設した取付穴に接着剤を充填し、板状の台座部２２及びこの台座部から上方に突出形成されたポスト部からなるベース部材１２と、この台座部に中間部が螺着されるボルト部材１４と、ベース部材に嵌挿された角パイプ２０とを有するベースポスト６を用い、上記取付穴に、上記ボルト部材を差し込むとともに、上記台座部２２の下部を上記躯体の表面に当接させ、上記台座部２２に設けた調整螺孔３０に調整ボルト４０を螺入して各部位の高さを加減し、上記台座部２２が水平になるよう調整して上記ベースポスト６を立設させ、接着剤が硬化した後、手摺ユニットを形成する各支柱部を、それぞれベースポストの角パイプに嵌め込み手摺ユニットを立設したことである。【選択図】  図１
2007177559.tif 000002
【特許請求の範囲】
【請求項１】
建物の躯体表面に所定間隔をおいて取付穴を穿設し、
上記取付穴に接着剤を充填し、
板状の台座部及びこの台座部から上方に突出形成されたポスト部からなるベース部材と、この台座部に中間部が螺着され上記ポスト部の内部を通過するボルト部材と、上記ベース部材のポスト部に嵌挿された角パイプとを有するベースポストを用い、
上記取付穴に、上記ベースポストの下部から一部が突出した上記ボルト部材を差し込むとともに、上記台座部の下部を上記躯体の表面に当接させ、上記台座部に設けた調整螺孔に調整ボルトを螺入し、上記調整ボルトの下部を上記台座部の下部から突出させて各部位の高さを加減し、上記台座部が水平になるよう調整して上記ベースポストを立設させ、
上記接着剤が硬化した後、手摺ユニットを形成する各支柱部を、それぞれ上記ベースポストの角パイプに嵌め込み上記手摺ユニットを立設したことを特徴とする手摺の取付方法。
【請求項２】
上記ベース部材の台座部とポスト部とをステンレス材の鋳造により一体的に成形したことを特徴とする請求項１記載の手摺の取付方法。
【請求項３】
上記ベースポストのポスト部から突出する上記ボルト部材に、ナット材を締結してこのボルト部材の上部を上記ポスト部に固定したことを特徴とする請求項１又は２記載の手摺の取付方法。
【請求項４】
建物の躯体表面に所定間隔をおいて取付穴を穿設しこの取付穴に接着剤を充填し、ベースポストを埋め込み、接着剤が硬化後、手摺ユニットの支柱部を上記ベースポストに嵌合固定する手摺の取付構造であって、
上記ベースポストは、板状の台座部及びこの台座部から上方に突出形成された中空のポスト部からなりステンレス材の鋳造により得られたベース部材と、この台座部に中間部が螺着され上記ポスト部の内部を通過するボルト部材と、上記ベース部材のポスト部に嵌挿された角パイプと、上記ポスト部から突出したボルト部材の上部に螺入されるナット材とを有し、
上記取付穴に、上記ベースポストの下部から一部が突出した上記ボルト部材を差し込み、上記台座部の下部を上記躯体の表面に当接させ、上記台座部に設けた調整螺孔に調整ボルトを螺入し、上記台座部が水平となるよう調整して上記躯体にベースポストを立設し、上記ベースポストに上記手摺ユニットを嵌挿固定したことを特徴とする手摺の取付構造。
【発明の詳細な説明】
【技術分野】
【０００１】
本発明は、手摺の取付方法及びその取付構造に関する。
【背景技術】
【０００２】
従来、手摺をコンクリートの躯体に立設するときの手摺支柱の取付けに関し、特許文献１に手摺の取付工法が開示されている。これは図７に示すように、コンクリートの躯体７０に穿設した取付孔７２に充填材を注入し、鉄筋からなる埋設部材７４とアングル状鋼材７６により形成した連結金具７８の埋込部材側を上記取付孔７２に挿入して充填材を硬化させ、この連結金具７８に手摺本体８０を被着するものである。
【０００３】
また、特許文献２には手摺り支柱の取付具が開示されている。この取付具は、中柱の下面にその底面積よりも大きく形成されたベース部材を取り付け、これにより上記取付具を介して手摺り支柱を躯体に立設したとき、手摺にかかる荷重の力を受ける面が広くなる、というものである。
【０００４】
また、特許文献３に、コンクリート建築物における手摺の取付方法の開示がある。これには、コンクリートの躯体の表面が傾斜している場合、支柱本体の下部に表面が傾斜した足元キャップを設けて支柱本体を鉛直に立設させる記載がある。特許文献４にも、ベース部材と支柱ブラケットに配設した湾曲歯合面により、コンクリートの躯体の表面が傾斜している場合であっても支柱を鉛直に立設することができる技術が開示されている。
【０００５】
【特許文献１】特許第３００２８５９号公報
【特許文献２】特開２００２−５４２７９号公報
【特許文献３】特許第２６１９７８１号公報
【特許文献４】特許第２７０７４２４号公報
【発明の開示】
【発明が解決しようとする課題】
【０００６】
しかしながら、上記引用文献１に記載の手摺の取付工法は、連結部材に鉄鋼材を用いているため、手摺支柱に浸入した雨水や支柱内の結露により連結金具の根元部分が腐食し、手摺が壊れるおそれがあるという問題がある。また、引用文献２記載の手摺支柱の取付具は、躯体が傾斜している場合には利用できない。
【０００７】
この点、引用文献３の手摺の取付け装置は、足元キャップを用いて傾斜する躯体に対して支柱が直立するように構成されているが、傾斜の角度が異なる躯体への取付けに際しては、その都度異なる傾斜角度の足元キャップを用いる必要があるなど部品の管理が面倒であるという問題がある。また、引用文献４の手摺の支柱固定装置は、支柱の垂直出しは自由に行えるが、構造が複雑であり施工性及び製造コスト等の問題がある。
【０００８】
本発明は上記問題点を解決するためになされたものであり、施工性及び経済性に優れるとともに耐久性にも優れた手摺の取付方法及びその取付構造を提供することを目的とする。
【課題を解決するための手段】
【０００９】
以上の技術的課題を解決するため、本発明に係る手摺の取付方法は、図１，５等に示すように、建物の躯体４８表面に所定間隔をおいて取付穴５０を穿設し、上記取付穴に接着剤を充填し、板状の台座部２２及びこの台座部から上方に突出形成されたポスト部２４からなるベース部材１２と、この台座部に中間部が螺着され上記ポスト部の内部を通過するボルト部材１４と、上記ベース部材のポスト部に嵌挿された角パイプ２０とを有するベースポスト６を用い、上記取付穴に、上記ベースポストの下部から一部が突出した上記ボルト部材を差し込むとともに、上記台座部２２の下部を上記躯体４８の表面に当接させ、上記台座部２２に設けた調整螺孔３０に調整ボルト４０を螺入し、上記調整ボルト４０の下部を上記台座部２２の下部から突出させて各部位の高さを加減し、上記台座部２２が水平になるよう調整して上記ベースポスト６を立設させ、上記接着剤が硬化した後、手摺ユニット４を形成する各支柱部４２を、それぞれ上記ベースポストの角パイプに嵌め込み上記手摺ユニットを立設したことである。
【００１０】
また、本発明に係る手摺の取付方法は、上記ベース部材１２の台座部２２とポスト部２４とをステンレス材の鋳造により一体的に成形したことである。
【００１１】
また、本発明に係る手摺の取付方法は、上記ベースポスト６のポスト部２４から突出する上記ボルト部材１４に、ナット材１８を締結してこのボルト部材１４の上部を上記ポスト部２４に固定したことである。
【００１２】
本発明に係る手摺の取付構造は、建物の躯体４８表面に所定間隔をおいて取付穴５０を穿設しこの取付穴５０に接着剤を充填し、ベースポスト６を埋め込み、接着剤が硬化後、手摺ユニット４の支柱部４２をベースポスト６に嵌合固定する手摺の取付構造であって、
上記ベースポスト６は、板状の台座部２２及びこの台座部から上方に突出形成された中空のポスト部２４からなりステンレス材の鋳造により得られたベース部材１２と、この台座部２２に中間部が螺着され上記ポスト部２４の内部を通過するボルト部材１４と、上記ベース部材１２のポスト部２４に嵌挿された角パイプ２０と、上記ポスト部２４から突出したボルト部材１４の上部に螺入されるナット材１８とを有し、上記取付穴５０に、上記ベースポスト６の下部から一部が突出した上記ボルト部材１４を差し込み、上記台座部２２の下部を上記躯体４８の表面に当接させ、上記台座部２２に設けた調整螺孔３０に調整ボルト４０を螺入し、上記台座部２２が水平となるよう調整して上記躯体にベースポスト６を立設し、上記ベースポスト６に手摺ユニット４を嵌挿固定したものである。
【発明の効果】
【００１３】
本発明に係る手摺の取付方法によれば、ベース材の台座部に設けた調整螺孔に調整ボルトを螺入し、調整ボルトの下部を台座部の下部から突出させて各部位の高さを加減し、台座部が水平になるよう調整してベースポストを立設させ、ベースポストの角パイプに手摺ユニットを嵌め込んで立設した構成としたから、作業性及び施工性に優れ、また手摺を設置する躯体が傾斜し或いは不陸があっても、角度或いは高さ調整によりベースポストを真っ直ぐ鉛直に立設することができて施工が容易に行え、またベースポストは、ベース部材など製造容易な部品を用いて組み立てたから経済性にも優れるという効果がある。
【００１４】
本発明に係る手摺の取付方法によれば、ベース部材の台座部とポスト部とをステンレス材の鋳造により一体的に成形したから、風雪に耐えて腐食のない耐久性の高い手摺構造が得られるという効果がある。特に、ベースポストの根元部分は風雪或いは結露の影響を受け易いが、この部分の耐蝕性能が高められ優れた耐久性を発揮する。
【００１５】
本発明に係る手摺の取付方法によれば、ベースポストのポスト部から突出するボルト部材に、ナット材を締結してこのボルト部材の上部をポスト部に固定したから、取付穴の深さに応じて自由にボルト部材の長さを調整することができ作業性、利便性に富み且つ強度的にも優れるという効果がある。
【００１６】
本発明に係る手摺の取付構造によれば、ベースポストは、台座部及びこの台座部から上方に突出形成されたポスト部からなりステンレス材の鋳造により得られたベース部材、ボルト部材及びポスト部に嵌挿された角パイプとを有し、台座部に設けた調整螺孔に調整ボルトを螺入して台座部が水平になるよう調整しベースポストを躯体に立設する構成を採用したから、手摺を設置する躯体が傾斜し或いは不陸がある場合であっても、角度或いは高さ調整によりベースポストを真っ直ぐ鉛直に立設することができ、作業性及び施工性に優れ、またベース部材を耐蝕性のよいステンレス材で形成したことから、風雪に耐えて腐食のない耐久性の高い手摺構造が得られ、さらにベースポストは、ベース部材など製造容易な部品を用いて組み立てたから経済性にも優れるという効果がある。
【発明を実施するための最良の形態】
【００１７】
以下、本発明に係る手摺の取付方法などの実施の形態を図面に基づいて説明する。
この手摺は、マンション等の建物のバルコニー（鉄筋コンクリート造り等）などの躯体に取付けられるものである。
【００１８】
上記手摺は図１，２，５に示すように、手摺の取付具２及び両側に手摺支柱が設けられた手摺ユニット４を有している。上記手摺の取付具２は、基本となるベースポスト６、及びこれに付加的に設けられるシール材８、及びこれを受けるシール受け１０からなる。また、上記ベースポスト６は、ベース部材１２、棒材の全体に螺子が刻設されたボルト部材１４、中央に孔部が設けられたスチール製の座金板１６、ナット材１８及び角パイプ２０を有している。
【００１９】
上記ベース部材１２は、台座部２２及びこの台座部２２から角筒状のポスト部２４が立設形成され、これらはステンレス材の鋳造（ロストワックス製法）により一体に形成されている。特に、ベースポスト６の根元部分は風雪、結露の影響を受け易いが、この部分を形成するベース部材１２を耐蝕性の良いステンレス材としたことで、高い耐蝕性能が得られる。なお、このベース部材１２はアルミニウム製の鋳物とすることもできる。
【００２０】
上記台座部２２は、ポスト部２４に対して鍔状に広い面積を確保することで、着座の安定化を図っている。台座部２２は、矩形状で中央にネジ孔２８が設けられ、また四隅近傍の４箇所には台座部２２を水平に調整する調整螺孔３０が設けられている。
【００２１】
上記調整螺孔３０は、調整ボルト４０を螺入して躯体４８に対する台座部２２の傾きを調整し、台座部２２を水平に保ち、ポスト部２４を直立（鉛直）させるために用いられる。当該調整螺孔３０は、１箇所以上あれば台座部２２を水平に維持することが可能であるが、２箇所以上（好ましくは４箇所）設けるのが調整を細かく行うためには好ましい。
【００２２】
上記台座部２２には、上記ネジ孔２８の左右側の位置に凸部３２が形成され、また左右の端部は上方に屈折した係合辺部３４が形成され、前後の部位には横に長い長孔部３６が設けられている。上記凸部３２は、角パイプ２０の位置決め用に用いられる。上記長孔部３６は、接着剤を用いないでベースポストを躯体に固定する場合に、拡張アンカーボルトを取り付けて固定する際の長孔である。
【００２３】
図２に示すように、上記ベース部材１２には、中央のネジ孔２８にボルト部材１４の中間部を螺着する。そして、このボルト部材１４に挿通した上記座金板１６をポスト部２４の上端部に被着し、ボルト部材１４に上から螺着したナット材１８で上記座金板１６を締結し、ボルト部材１４をポスト部２４に固定する。
【００２４】
さらに図３（ａ）（ｂ）に示すように、上記ベース部材１２のポスト部２４に角パイプ２０を嵌め込み、ビス３８を用いてこの角パイプ２０をポスト部２４に固定し、ベースポスト６を組み立てる。このベース部材１２は、上記調整螺孔３０に調整ボルト４０を螺入して躯体４８の水勾配や不陸を調整する。上記角パイプ２０は、断面矩形状の筒状であり、メッキが施された角筒形の鋼製のもの、又はステンレス製、アルミニウムの押出し成形材からなる。
【００２５】
上記手摺ユニット４は、図５に示すように、両端部に支柱部４２が設けられ、これら両支柱部４２間に上下に横桟４４をそれぞれ配設し、両横桟間に縦桟４６を取り付けた形状である。また、両支柱部４２の下部近傍の周囲にはフランジ状のベースポストカバー４７が嵌め込まれる。
【００２６】
ここで、上記手摺の取付方法について説明する。
まず、図４(ａ)（ｂ）（ｃ）に示すように、建物のバルコニー等の躯体４８（パラペットなど）に、所定間隔をおいて取付穴５０を開ける。この取付穴５０は、例えば穴径が２０ｍｍ、穴の深さが１３０ｍｍの形態であり、ハンマードリル等を用いて穿設される。通常、取付穴５０の深さ寸法は所定のサイズに設定されるが、躯体４８内の鉄筋等の配置により深さが変わる場合には、ボルト部材１４の下方に突出する部分の長さを調整する。このボルト部材１４の調整に際しては、ベース部材１２のナット材１８を緩め、ボルト部材１４を回して必要な長さに加減調整し、再度ナット材１８を締結してボルト部材１４をベース部材１２に固定する。
【００２７】
次に、上記取付穴５０に接着剤５２を注入する。この接着剤５２は、例えばウレタンメタクリル樹脂系の硬化時間が約１時間程度のものを用いる。そして、この取付穴５０に上記ベースポスト６の下部から下方に突出するボルト部材１４を差し込み、ベースポスト６の台座部２２の下部を上記躯体４８の表面に当接させる。なお図５に示すように、予めベースポスト６の角パイプ２０に、シール材８を嵌め込みさらに上からシール受け１０を嵌め込んでおく。
【００２８】
さらに、上記台座部２２に設けた４箇所の調整螺孔３０にそれぞれ調整ボルト４０を螺入し、これら調整ボルト４０を調節し、各調整ボルト４０の下部を上記台座部２２の下面部から突出させて上記躯体４８に対して各部位の高さを加減し、台座部２２を水平にしてベースポスト６が鉛直に立設するよう調整する。上記調整ボルト４０は、４箇所の全ての調整螺孔３０に螺入する必要はなく、高さ加減の必要な箇所のみに用いればよい。
【００２９】
上記躯体４８は、通常、雨水の排水のため建物の内側に向かうに従って下方に傾斜する形態であるため、ベースポスト６の台座部２２と、躯体４８の表面との間に所定角度の隙間が形成される。この場合には、上記台座部２２の浮いた側の上記調整螺孔３０に調整ボルト４０を螺入し、台座部２２と躯体４８の表面との間の隙間に調整ボルト４０の軸部を延ばして台座部２２が水平になるよう加減する。
【００３０】
躯体４８に不陸などの凸凹がある場合においても、上記台座部２２の必要な調整螺孔３０に調整ボルト４０を螺入し、上記台座部２２が水平になるように調整する。なお、躯体４８の表面が水平な場合には、上記調整ボルト４０による調整は不要である。そして、上記接着剤５２が硬化するまで、ベースポスト６を鉛直に保つ。他のベースポスト６についても、同様に取付穴５０に接着剤５２を注入して挿入埋設し、接着剤の硬化を待つ。ベースポスト６は、接着剤５２の硬化により躯体４８に固定される。
【００３１】
上記ベースポスト６が固定されると、ベースポスト６の角パイプ２０に嵌め込まれたシール材８及びシール受け１０を下げて、ベース部材１２の上部に係合させる。この状態で、上記シール受け１０はベース部材１２の台座部２２を覆う。
【００３２】
そして図５，６に示すように、上記接着剤５２の硬化を待って、上記両ベースポスト６に、上記手摺ユニット４の両支柱部４２をそれぞれ嵌め込み、ビス５４を用いて支柱部４２をベースポスト６の角パイプ２０に固定する。さらに、各支柱部４２の下端部の周りにシーリング処理を行う。このとき、支柱部４２とシール受け１０との間の隙間にシーリング材を詰めてシーリング処理を行う。このシール受け１０の周り、躯体４８との間にもシーリング処理をしておく。さらに、手摺ユニット４の支柱部４２に予め嵌め込まれたベースポストカバー４７を下ろし、躯体４８に設置し支柱部４２の下部近傍をカバーする。
【００３３】
従って、上記実施の形態に係る手摺によれば、手摺を設置する躯体が傾斜し或いは不陸がある場合であっても、角度或いは高さ調整によりベースポストを真っ直ぐ鉛直に立設することができ、作業性及び施工性に優れ、またベースポストのベース部材をステンレスなどの耐蝕性のよい材料で形成したことから、風雪に耐えて腐食のない耐久性の高い手摺構造が得られる。また、ベースポストは、ベース部材など製造容易な部品を用いて組み立てたから経済性にも優れる。
【図面の簡単な説明】
【００３４】
【図１】本発明の実施の形態に係るベースポストを示す図である。
【図２】実施の形態に係り（ａ）はベース部材を、（ｂ）はベース部材にボルト部材を取り付けた状態を示す図である。
【図３】実施の形態に係り、（ａ）はベースポストの断面を、（ｂ）はベースポストを躯体に埋設した状態の断面を示す図である。
【図４】本発明の実施の形態に係り、手摺の取付工程を示す図（ａ）（ｂ）（ｃ）である。
【図５】実施の形態に係る手摺の取付構造を示す分解斜視図である。
【図６】実施の形態に係る手摺の取付構造を示す図である。
【図７】従来例に係る手摺の取付工法を示す図である。
【符号の説明】
【００３５】
４    手摺ユニット
６    ベースポスト
１２  ベース部材
１４  ボルト部材
１８  ナット材
２０  角パイプ
２２  台座部
２４  ポスト部
３０  調整螺孔
４０  調整ボルト
４２  支柱部
４８  躯体
５０  取付穴
【図１】
2007177559.tif 000003
【図２】
2007177559.tif 000004
【図３】
2007177559.tif 000005
【図４】
2007177559.tif 000006
【図５】
2007177559.tif 000007
【図６】
2007177559.tif 000008
【図７】
2007177559.tif 000009